(57)【要約】  【課題】  浴室ユニットの湾曲天井パネルにスピーカを取り付ける場合、取り付けボルトにてバッフル板を天井パネルの下側に固定するが、取り付けボルトによってバッフル板の周縁がパッキンを強く押し圧し、バッフル板に亀裂が生じパッキンもバッフル板の周縁によって亀裂が生じ易く、防水効果が低下することにもなる。本発明はパッキンの締付度合いを制限してパッキンを保護し、取り付けボルトの締付けによるバッフル板の変形や亀裂による破損を防止し、更に製品の外形が大きくならない化粧カバーの取り付けとする。  【解決手段】  バッフル板の周縁部よりも後方に突出する複数の突起を設け、取り付けボルトを締付けたとき、環状シールパッキンの押し圧力を制限しつつ複数の突起が天井パネルとバッフル板との実質的結合部となること。更に、バッフル板周縁の環状フランジの内側に化粧カバーの係止爪を弾性係止させる構成である。【選択図】    図４
2005143900.tif 000002
【特許請求の範囲】
【請求項１】
音響放射面がキャビネットの外部に臨むようにスピーカユニットを取り付けたバッフル板が前記キャビネットの開口部に配設され、前記バッフル板を浴室ユニットの天井パネルの下側に配設した状態で前記バッフル板を貫通する取り付けボルトにて前記天井パネルに取り付けられ、前記音響放射面を覆うように前記バッフル板に化粧カバーが取り付けられる浴室ユニット用音響装置であって、前記化粧カバーは複数箇所に裏側へ突出した係止爪を備え、前記バッフル板は前面周縁に環状フランジと前記環状フランジの内側面に沿った複数箇所に係止孔を備え、この係止孔の縁部には弾性係止部が一体形成され、前記係止爪が前記係止孔に挿入された状態で前記化粧カバーの回動にて前記係止爪が前記弾性係止部を押し圧して前記化粧カバーが前記バッフル板に保持されることを特徴とする浴室ユニット用音響装置。
【請求項２】
前記係止爪と前記係止孔はそれぞれ円周上に等間隔に配置され、前記係止爪は後端部がＬ字状に屈曲した係止辺を形成し、前記係止孔は前記係止辺が挿通される大きさ部分に連続して前記係止爪の基部が挿通される幅の狭い部分を形成し、この幅の狭い部分の縁部が前記弾性係止部を構成したことを特徴とする請求項１に記載の浴室ユニット用音響装置。
【請求項３】
音響放射面がキャビネットの外部に臨むようにスピーカユニットを取り付けたバッフル板が前記キャビネットの開口部に配設され、前記音響放射面を覆うように前記バッフル板に化粧カバーが取り付けられ、前記バッフル板を環状シールパッキンを介して浴室ユニットの湾曲した天井パネルの下側に配設した状態で前記バッフル板の各貫通孔を貫通する複数の取り付けボルトにて前記天井パネルに取り付けられる浴室ユニット用音響装置であって、前記バッフル板の裏側には前記バッフル板の周縁部よりも後方に突出する複数の突起を設け、前記取り付けボルトを締付けたとき、前記環状シールパッキンの押し圧力を制限しつつ前記複数の突起が前記天井パネルと前記バッフル板との実質的結合部となることを特徴とする浴室ユニット用音響装置。
【請求項４】
前記突起を前記各貫通孔の周囲に形成し、前記突起の高さを前記取り付けボルトが締付けられたとき前記バッフル板の周縁部にて押し圧される前記環状シールパッキンの押し圧力を制限する高さに設定したことを特徴とする請求項３記載の浴室ユニット用音響装置。
【発明の詳細な説明】
【技術分野】
【０００１】
本発明は、システムバスルーム等の浴室ユニットの天井パネルにスピーカを取り付ける浴室ユニット用音響装置に関する。
【背景技術】
【０００２】
ユニットバスルーム等の浴室ユニット用音響再生装置がある（例えば、特許文献１参照）。特許文献１の発明では、ユニットバスルームは、防水パンと４枚の壁パネルとアーチ状の天井パネルによって箱状に形成され、防水パン上にバスタブが設置され、壁パネル側には洗い場と洗面器置き用カウンタが配置されている。そして、天井パネルには２個の防水スピーカが取り付けられ、バスタブの洗い場側の壁面（エプロン）にはアクチュエータが取り付けられ、これによって、天井パネルの２個の防水スピーカが中高音を再生し、アクチュエータがエプロンを振動板として低音を再生する構成である。
【特許文献１】特開２００１‐１５７６４２号公報
【発明の開示】
【発明が解決しようとする課題】
【０００３】
特許文献１のものは、中高音の再生用の２個の防水スピーカが湾曲した天井パネルに取り付けられた構成である。従来、このような湾曲した天井パネルにスピーカを取り付ける場合は、スピーカを上側に取り付けたバッフル板をパッキンを介して天井パネルの下側に配設し、取り付けボルトによってこのバッフル板を天井パネルに固定する方法がとられている。この場合、取り付けボルトの締付によってバッフル板の周縁がパッキンを強く押し圧し、更に取り付けボルトを締付けるとバッフル板が天井パネル側へ変形して美観を損なう状態となる。また、取り付けボルトの締付けによって、バッフル板に亀裂が生じて破損する原因にもなり、パッキンもバッフル板の周縁によって亀裂が生じ易くなり、防水効果が低下する原因にもなる。
【０００４】
また、バッフル板には、バッフル板のバスルーム側の面を覆うように化粧カバー（化粧グリルとも称される）が取り付けられる。この化粧カバーは、その周縁部の前記パッキンよりも外側位置に形成した係止爪の弾性によって、バッフル板の周縁部に係止する構成であり、この化粧カバーは浴室施工時に取り付けが行われることを考慮して、一般室内用のスピーカに使用される化粧カバーの係止爪よりも大きい強度を有するように、肉厚を厚く係止爪を大きくする等の構成を採っている。このため、製品の外形が大きくなり、美観の低下を来たし、施工の自由度が制限される。
【０００５】
本発明はこのような点に鑑みて、システムバスルーム等の浴室ユニットの天井パネルにスピーカを取り付ける浴室ユニット用音響装置において、パッキンの締付度合いを制限してパッキンを保護すると共に、取り付けボルトの締付けによるバッフル板の変形や亀裂による破損を防止できる技術を提供する。また、製品の外形が大きくならない化粧カバーの取り付け構成の技術を提供する。
【課題を解決するための手段】
【０００６】
第１の発明は、音響放射面がキャビネットの外部に臨むようにスピーカユニットを取り付けたバッフル板が前記キャビネットの開口部に配設され、前記バッフル板を浴室ユニットの天井パネルの下側に配設した状態で前記バッフル板を貫通する取り付けボルトにて前記天井パネルに取り付けられ、前記音響放射面を覆うように前記バッフル板に化粧カバーが取り付けられる浴室ユニット用音響装置であって、前記化粧カバーは複数箇所に裏側へ突出した係止爪を備え、前記バッフル板は前面周縁に環状フランジと前記環状フランジの内側面に沿った複数箇所に係止孔を備え、この係止孔の縁部には弾性係止部が一体形成され、前記係止爪が前記係止孔に挿入された状態で前記化粧カバーの回動にて前記係止爪が前記弾性係止部を押し圧して前記化粧カバーが前記バッフル板に保持されることを特徴とする。
【０００７】
第２の発明は、第１の発明において、前記係止爪と前記係止孔はそれぞれ円周上に等間隔に配置され、前記係止爪は後端部がＬ字状に屈曲した係止辺を形成し、前記係止孔は、前記係止辺が挿通される大きさ部分に連続して前記係止爪の基部が挿通される幅の狭い部分を形成し、この幅の狭い部分の縁部が前記弾性係止部を構成したことを特徴とする。
【０００８】
第３の発明は、音響放射面がキャビネットの外部に臨むようにスピーカユニットを取り付けたバッフル板が前記キャビネットの開口部に配設され、前記音響放射面を覆うように前記バッフル板に化粧カバーが取り付けられ、前記バッフル板を環状シールパッキンを介して浴室ユニットの湾曲した天井パネルの下側に配設した状態で前記バッフル板の各挿通孔に挿通される複数の取り付けボルトにて前記天井パネルに取り付けられる浴室ユニット用音響装置であって、前記バッフル板の裏側には前記バッフル板の周縁部よりも後方に突出する複数の突起を設け、前記取り付けボルトを締付けたとき、前記環状シールパッキンの押し圧力を制限しつつ前記複数の突起が前記天井パネルと前記バッフル板との実質的結合部となることを特徴とする。
【０００９】
第４の発明は、第３の発明において、前記突起を前記各挿通孔の周囲に形成し、前記突起の高さを前記取り付けボルトが締付けられたとき前記バッフル板の周縁部にて押し圧される前記環状シールパッキンの押し圧力を制限する高さに設定したことを特徴とする。
【発明の効果】
【００１０】
第１の発明では、化粧カバーは、バッフル板の前面周縁の環状フランジの内側に沿って形成した複数の係止孔に化粧カバーの係止爪が挿入された状態で化粧カバーの回動に伴って取り付けられるため、従来のように係止爪を大きくすることなく安定した取り付けが達成できるため、製品の外形が大きくなることもない。そして、化粧カバーはその回動によって弾性係止部に係止爪が係止し、弾性係止部の弾性によって安定に保持され、内日の点検等の場合にも化粧カバーを反対方向へ回動させることによって、簡単に取り外し可能である。
【００１１】
第２の発明では、第１の発明の効果に加えて、係止爪はＬ字状に屈曲した形状によって十分な強度が得られ、バッフル板の係止孔は、この係止爪のＬ字状の係止辺が挿通される大きさ部分に連続して係止爪の基部が挿通される幅の狭い部分の形成によって、弾性係止部の形成が可能となるため、構成が簡素化される。
【００１２】
第３の発明では、取り付けボルトを締付けたときバッフル板の複数の突起が天井パネルとの実質的結合部となるため、パッキンの締付度合いを制限してパッキンを保護すると共に、取り付けボルトの締付けによるバッフル板の変形や亀裂による破損を防止でき、湾曲した天井パネルへの取り付けとして優れたものである。
【００１３】
第４の発明では、第３の発明の効果に加えて、取り付けボルトの締付け部に突起が存在するため、締付け力が大きな部分でパッキンの締付度合いを制限しつつバッフル板を天井パネルに安定的に固定できる。
【発明を実施するための最良の形態】
【００１４】
本発明は、バッフル板を環状シールパッキンを介して浴室ユニットの湾曲した天井パネルの下側に配設した状態で前記バッフル板を貫通する複数の取り付けボルトにて前記天井パネルに取り付けられる浴室ユニット用音響装置（スピーカシステム）であって、前記バッフル板の環状フランジの内側に化粧カバーの係止爪を係止させる構成である。また、前記バッフル板の取り付けボルトを締付けたとき、前記環状シールパッキンの押し圧力を制限しつつ前記バッフル板より後方に突出する複数の突起が前記天井パネルと前記バッフル板との実質的結合部となるものであり、その実施例を以下に記載する。
【実施例１】
【００１５】
各図は本発明の実施形態のスピーカシステムとその取り付け状態を示しており、図１は本発明のスピーカシステムの分解斜視図、図２は本発明のスピーカシステム内部構造を示す縦断面図、図３は本発明のスピーカシステムを壁に取り付ける場合の分解斜視図、図４は本発明のスピーカシステムを壁に取り付けた部分の縦断面図、図５は本発明のスピーカシステムの化粧カバーの取り付け部の分解斜視図、図６は本発明の化粧カバーの係止爪をバッフル板の係止孔に挿入した段階の斜視図、図７は本発明の化粧カバーの係止爪がバッフル板の係止孔に係合した状態の斜視図、図８は本発明の化粧カバーとバッフル板の取り付け部の他の実施例を示す分解斜視図、図９は本発明のスピーカシステムを取り付けた浴室ユニットの内部斜視図である。
【００１６】
これらの図において、１は本発明の浴室ユニット用スピーカシステム（浴室ユニット用音響装置）であり、これを浴室ユニット３０の天井パネル３３に取り付ける方式の実施形態について説明する。本発明のスピーカシステム１は、密閉状態に保たれた第１の空気室２と音響ダクト３を備えた第２の空気室４との間に仕切り板５を介在させて一体にした円筒状のキャビネット６を構成し、音響放射面７がキャビネット６の外部に臨むように第１のスピーカユニット８を第１の空気室２に備えたバッフル板９に配設すると共に、音響放射面１１が第２の空気室４に臨むように第２のスピーカユニット１０を仕切り板５に配設し、音響ダクト３の一方の開口端部３Ａがバッフル板９に連通し開口し、他方の開口端部３Ｂが仕切り板５に連通開口するよう形成された構成である。
【００１７】
本発明のスピーカシステム１は、両端開口の合成樹脂製の円筒状キャビネット６と、合成樹脂製のバッフル板９と、合成樹脂製の裏板部１７と、第１のスピーカユニット８と、第２のスピーカユニット１０と、音響ダクト３を主要構成部品としている。そして、円筒状のキャビネット６の中間部にはキャビネット６を上下に二分する仕切り板５が一体成形され、バッフル板９には裏側に音響ダクト３が一体成形され、仕切り板５には音響放射開口５Ａが形成され、バッフル板９には音響放射開口９Ａが形成されている。そして、音響放射面７を音響放射開口９Ａに対応して音響放射開口９Ａを塞ぐように第１のスピーカユニット８が取り付けられ、音響放射面１１を音響放射開口５Ａに対応して音響放射開口５Ａを塞ぐように第２のスピーカユニット１０が取り付けられ、キャビネット６と他端開口を塞ぐように裏板部１７が取り付けられている。円筒状のキャビネット６はスピーカシステム１の胴体部を構成する形態となる。
【００１８】
これによって、バッフル板９と仕切り板５との間に第１のスピーカユニット８と第２のスピーカユニット１０を収納した密閉の第１の空気室２が形成され、仕切り板５と裏板部１７との間に密閉の第２の空気室４が形成される。そして、音響ダクト３がバッフル板９前面側の空間と第２の空気室４とを連通状態とする。音響ダクト３は第１の空気室２内の一方に偏った位置に配置されている。
【００１９】
第１のスピーカユニット８は、音響信号を受信し増幅等の機能を備えた再生回路装置１２からの信号によってコーン状の振動板１３を振動させて中高音を再生する機能を備え、その取り付けは、振動板１３を取り囲むフレーム１４のフランジ１４Ａをバッフル板９に形成した音響放射開口９Ａの周縁部の裏側にネジ等にて取り付けられている。これによって、コーン状の振動板１３は音響放射開口９Ａに向けて広がった状態である。
【００２０】
第２のスピーカユニット１０は、音響信号を受信し増幅等の機能を備えた再生回路装置１２からの信号によってコーン状の振動板１５を振動させて低音を再生する機能を備え、その取り付けは、振動板１５を取り囲むフレーム１６のフランジ１６Ａを仕切り板５に形成した音響放射開口５Ａの周縁部の裏側にネジ等にて取り付けられている。これによって、コーン状の振動板１５は音響放射開口５Ａに向けて広がった状態である。
【００２１】
裏板部１７は、円筒状キャビネット６内の第２空気室４の後端開口を塞ぐように、キャビネット６の後端開口周縁内に裏板部１７の環状フランジ１９が嵌合した状態でネジ１８にて取り付けられている。
【００２２】
バッフル板９は、キャビネット６内の第１空気室２の下端開口を塞ぐようにバッフル板９の裏側の環状溝２０にキャビネット６の下端開口周縁部が嵌め合わされ、環状溝２０の内側壁にキャビネット６の下端開口周縁がネジ２１にて取り付けられている。このような組立て状態によって、音響ダクト３は第１の空気室２内の一方に偏った位置をとる。
【００２３】
音響ダクト３はバッフル板９と合成樹脂にて一体成形されて一方の開口端部３Ａがバッフル板９の前面に連通し、バッフル板９とキャビネット６との組立てによって、音響ダクト３の他方の開口端部３Ｂが仕切り板５に形成した音響開口５Ｂに連通する構成である。音響ダクト３の一方の開口端部３Ａがバッフル板９に連通し他方の開口端部３Ｂが仕切り板５に連通形成された構成であるため、第１のスピーカユニット８と第２のスピーカユニット１０を一体化した構成となり、スピーカシステム１のコンパクト化が達成できるため中高音の再生スピーカ部と低音の再生スピーカ部の天井パネル３３への取り付けが簡素化される。
【００２４】
本発明のスピーカシステム１は、湿気の多い場所に取り付けられてもその湿気によって生じる水滴からスピーカユニット１を保護する効果のある特徴を備える。図５にはマンションなどの建築物５１内に構成された浴室エリア５０に本発明のスピーカシステム１を備えた浴室ユニット３０を設置する状態の一例を示している。浴室ユニット３０は、防水パン３１と前後左右の側壁パネル３２とアーチ状又はドーム状の天井パネル３３によって箱状に形成され、防水パン３１上にバスタブ３４が設置され、側壁パネル３２側には洗い場と洗面器置き用カウンタ等が配置されている。天井パネル３３には２個のスピーカシステム１が、第１のスピーカユニット８を下側にして取り付けられている。そして、天井パネル３３の上面には、２個のスピーカシステム１の間の位置に再生回路装置１２が取り付けられている。
【００２５】
天井パネル３３への２個のスピーカシステム１の各々の取り付け構成は図４に示す。即ち、第１のスピーカユニット８と第２のスピーカユニット１０が取り付けられた状態で円筒状キャビネット６にバッフル板９と裏板部１７が組み合わされたスピーカシステム１を準備し、天井パネル３３に形成した取り付け開口３３Ａを通してキャビネット６を裏板部１７側から挿通させ、環状溝２０の外側位置においてバッフル板９の裏側に配設した環状の弾性パッキン３５を介してバッフル板９を天井パネル３３の下面に位置させ、バッフル板９と天井パネル３３を貫通する複数の取り付けボルト３６でもって取り付ける。
【００２６】
具体的には、下側となるバッフル板９の表面側の周縁部には環状フランジ９Ｂが形成され、この環状フランジ９の内側位置にバッフル板９に等角度間隔に複数の挿通孔９Ｃが形成され、天井パネル３３には挿通孔９Ｃに対応する等角度間隔に複数の挿通孔３３Ｂが形成されている。そして、複数の取り付けボルト３６の頭部がこの環状フランジ９Ｂの内側位置に配置される状態で、各挿通孔９Ｃ、３３Ｂを取り付けボルト３６が貫通して、ボルト３６のネジ部が天井パネル３３の裏側に配設した環状の取り付けリング３７のネジ部３７Ａに螺合することによって、弾性パッキン３５がバッフル板９の周縁部によって押し圧された状態で、スピーカシステム１は天井パネル３３に取り付けられる。取り付けリング３７は、予め天井パネル３３の上側の所定位置に取り付けておいてもよい。
【００２７】
この場合、バッフル板９の裏側にはバッフル板９の周縁部よりも後方に突出する複数の突起６０を設け、取り付けボルト３６を締付けたとき、環状シールパッキン３５の押し圧力（潰し代、押し圧寸法）を制限しつつ複数の突起６０が天井パネル３３とバッフル板９との実質的結合部となる構成である。
【００２８】
取り付けボルト３６による締付けによってバッフル板９が変形しない安定取り付けが達成されるようにするために、突起６０を取り付けボルト３６の各挿通孔９Ｃの周囲に形成し、突起６０の高さを取り付けボルト３６が締付けられたとき、バッフル板９の周縁部にて押し圧される環状シールパッキン３５の押し圧力を制限する高さに設定している。
【００２９】
この構成によって、取り付けボルト３６を締付けたとき、突起６０が天井パネル３３に当接して取り付けボルト３６の締付けが終了する。この締付け終了によって、バッフル板９の周縁部と天井パネル３３との間には環状シールパッキン３５が若干圧縮された適切押し圧状態となる間隔が保たれる。このため、環状シールパッキン３５がバッフル板９の周縁部と天井パネル３３との間で強く押し圧されてバッフル板９の周縁端部による亀裂が生じる等の虞が解消し、この亀裂による環状シールパッキン３５によるシール効果の低下もなくなる。
【００３０】
このような構成によって、湾曲した天井パネル３３にスピーカシステム１を取り付けることに適するものとなる。
【００３１】
なお、バッフル板９の裏側へ突出する突起６０の高さと環状シールパッキン３５の厚さは、所定の浴室ユニット３０の標準システムとしてスピーカシステム１を構成する場合は、予めこの浴室ユニット３０の天井パネル３３の湾曲状態に合わせた寸法にすればよい。しかし、規定されない浴室ユニット３０の天井パネル３３等に取り付けられる汎用のスピーカシステム１とする場合は、突起６０の高さと環状シールパッキン３５の厚さを予め規定することは難しいため、突起６０の高さを若干長くした状態に作っておき、環状シールパッキン３５の厚さも若干厚めに作っておくか厚さの異なるものを準備しておき、マンション等への浴室ユニット３０の施工現場にて、この突起６０を天井パネル３３の湾曲状態に合わせた高さに切断したり、適当な厚さの環状シールパッキン３５を選択してスピーカシステム１を天井パネル３３に取り付ける方法を講じればよい。
【００３２】
また他の方法としては、突起６０の高さを予め所定の高さに作っておき、天井パネル３３の湾曲状態に合わせるために高さが不足する場合には、この突起６０の高さを実質的に高くするように環状筒（カラー）をこの突起６０に載せて取り付ける方法がある。
【００３３】
このような取り付けによって、バッフル板９がバスルーム側に位置して第１のスピーカユニット８の音響放射面７が下側向きとなり、コーン状の振動板１３が下方に開いた状態となる。そして、第２のスピーカユニット１０の音響放射面１１が上側向きとなり、コーン状の振動板１５が上方に開いた状態となる。これによって、第１の空気室２の上側に第２の空気室４が存在する配置となり、音響ダクト３が上下方向に延びて第２の空気室４の低音を浴室ユニット３０の室内へ伝達できる図２に示すような配置となる。
【００３４】
４０は化粧カバーであり、化粧グリルとも称され、防錆材によってメッシュ状等の形態に構成した防護ネット４０Ａが合成樹脂製の周縁の枠４１に取り付けられており、枠４１は環状そのものでもよいが、枠４１の内側に多角形またはその他の形状の多数の音響孔を形成した形態でもよい。化粧カバー４０は、枠４１に形成した複数の係止爪４２をバッフル板９に形成した係止孔４３に挿入した状態で、化粧カバー４０を若干回転させることによって、係止爪４２が係止孔４３の係止部４４に弾性係止して着脱自在に取り付けられる構成である。
【００３５】
係止爪４２と係止部４４との関係は、図５及至図７に示すように、化粧カバーの周縁枠４１に等間隔で複数箇所に裏側へ突出した係止爪４２を周縁枠４１と一体成形し、バッフル板９は前面周縁の環状フランジ９Ｂの内側面に沿って等間隔で複数箇所に係止孔４３を形成している。この係止孔４３の縁部には弾性係止部４４が一体形成され、係止爪４２が係止孔４３に挿入された状態で化粧カバー４０の回動にて係止爪４２が弾性係止部４４を押し圧して化粧カバー４０がバッフル板９に保持されるものである。
【００３６】
これによって、化粧カバー４０は、バッフル板９の前面周縁の環状フランジ９Ｂの内側に沿って形成した複数の係止孔４３に化粧カバー４０の係止爪４２が挿入された状態で化粧カバー４０の回動に伴って取り付けられるため、従来のように係止爪を大きくすることなく安定した取り付けが達成できるため、製品の外形が大きくなることもない。そして、化粧カバー４０はその回動によって弾性係止部４４に係止爪４２が係止し、弾性係止部４４の弾性によって安定に保持され、内部の点検等の場合にも化粧カバー４０を反対方向へ回動させることによって、簡単に取り外し可能である。
【００３７】
係止爪４２と係止孔４３はそれぞれ円周上に等間隔に配置され、係止爪４２は後端部がＬ字状に屈曲した係止辺４２Ａを形成し、係止孔４３は係止辺４２Ａが挿通される大きさ部分４３Ａに連続して係止爪４２の基部が挿通される幅の狭い部分４３Ｂを形成し、この幅の狭い部分４３Ｂの縁部が弾性係止部４４を構成している。弾性係止部４４の弾力性を向上するために、幅の狭い部分４３Ｂの反対側には部分４３Ａに連続してスリット４３Ｃが形成されている。係止爪４２の係止辺４２の内側は、弾性係止部４４との噛み合い方向に従って枠４１と係止辺４２との間隔が狭くなるような傾斜面４２Ｂを形成している。
【００３８】
これによって、化粧カバー４０を回動させることによって、係止辺４２Ａの傾斜面４２Ｂが弾性係止部４４を押し圧して撓ませつつ係止爪４２と弾性係止部４４との噛み合いが保たれ、化粧カバー４０がバッフル板９に取り付けられる。このため、上記の効果に加えて、係止爪４２はＬ字状に屈曲した形状によって十分な強度が得られ、バッフル板９の係止孔４３は、係止辺４２Ａが挿通される大きさ部分４３Ａに連続して係止爪４２の基部が挿通される幅の狭い部分４３Ｂの形成によって、弾性係止部４４の形成が可能となるため、構成が簡素化される。
【００３９】
もし、スピーカシステム１の修理交換等の場合には上記とは逆の操作によって、化粧カバー４０を取り外した後、取り付けボルト３６を緩めて天井パネル３３からスピーカシステム１を取り外すことができる。
【００４０】
上記の構成において、環状シールパッキン３５は突起６０の外側に環状に配置されてバッフル板９の周縁部裏側に両面接着テープによって接着されて保持される。この状態では環状シールパッキン３５が弾性係止部４４と係止孔４３を塞ぎ、この部分のシールも行っているが、両面接着テープがこの弾性係止部４４と係止孔４３に接着して、係止爪４２を係止孔４３に挿通し難くなる。これを防ぐために、環状シールパッキン３５を係止孔４３部分で切除すれば、この部分のシール効果が得られなくなる。
【００４１】
本発明では、環状シールパッキン３５を切除するのではなく、両面接着テープが弾性係止部４４と係止孔４３に接着しないように、弾性係止部４４と係止孔４３を覆って接着剥離材（フィルム、又はシート）を設ける。具体的には、弾性係止部４４と係止孔４３を覆うように、係止孔４３周辺を覆う大きさの接着剥離材をバッフル板９に取り付けるか、両面接着テープの係止孔４３側の面に接着しておく。これによって、係止爪４２を係止孔４３に挿通し易くなると共に、この部分のシールも良好となる。
【実施例２】
【００４２】
図８には本発明の化粧カバー４０の取り付けに係る他の実施例を示している。これにおいて、図５及至図７と同符合部分は同機能部を示す。図８では、係止孔４３は係止辺４２Ａが挿通される大きさ部分４３Ａに連続して係止爪４２の基部が挿通される幅の狭い部分４３Ｂを形成し、この幅の狭い部分４３Ｂの縁部が弾性係止部４４を構成している。これによって、化粧カバー４０を回動させることによって、係止辺４２Ａが弾性係止部４４を押し圧して撓ませつつ係止爪４２と弾性係止部４４との噛み合いが保たれ、化粧カバー４０がバッフル板９に取り付けられる。
【００４３】
このため、化粧カバー４０は、バッフル板９の前面周縁の環状フランジ９Ｂの内側に沿って形成した複数の係止孔４３に化粧カバー４０の係止爪４２が挿入された状態で化粧カバー４０の回動に伴って取り付けられるため、従来のように係止爪を大きくすることなく安定した取り付けが達成できるため、製品の外形が大きくなることもない。そして、化粧カバー４０はその回動によって弾性係止部４４に係止爪４２が係止し、弾性係止部４４の弾性によって安定に保持され、内日の点検等の場合にも化粧カバー４０を反対方向へ回動させることによって、簡単に取り外し可能である。
【００４４】
また、係止爪４２はＬ字状に屈曲した形状によって十分な強度が得られ、バッフル板９の係止孔４３は、係止辺４２Ａが挿通される大きさ部分４３Ａに連続して係止爪４２の基部が挿通される幅の狭い部分４３Ｂの形成によって、弾性係止部４４の形成が可能となるため、構成が簡素化される。
【００４５】
上記のように、本発明のスピーカシステム１は、第１のスピーカユニット８と第２のスピーカユニット１０を一体化した構成となり、スピーカシステム１のコンパクト化が達成できるため中高音の再生スピーカ部と低音の再生スピーカ部の取り付けが簡素化される。
【００４６】
また、浴室ユニット３０の天井壁３３への取り付けにおいても、低音は第２のスピーカユニット１０によって再生されて第２の空気室４へ放射され、音響ダクト３から下方の浴室ユニット３０の室内へ放射されるため、第１のスピーカユニット８で再生される中高音と相俟って聴覚的にはフラット感が得られるものとなり、良好な音響効果が得られる。
【００４７】
本発明のスピーカシステム１を標準のコンポーネント（構成要素）とする浴室ユニット３０を市場に提供することもできる。この場合は、密閉状態に保たれた第１の空気室２と音響ダクト３を備えた第２の空気室４との間に仕切り板５を介在させて一体にしたキャビネット６を構成し、音響放射面７がキャビネット６の外部に臨むように第１のスピーカユニット８を第１の空気室２に備えたバッフル板９に配設すると共に、音響放射面１１が第２の空気室４に臨むように第２のスピーカユニット１０を仕切り板５に配設し、音響ダクト３の開口端部がバッフル板９と仕切り板５の各々に連通形成されたスピーカシステム１を浴室ユニット３０の天井パネル３３に対して、バッフル板９を浴室ユニット３０の室内側にして第１のスピーカユニット８が下側になるように取り付けた浴室ユニット３０となる。
【産業上の利用可能性】
【００４８】
本発明は、上記のように、浴室ユニットの天井パネルに第１のスピーカユニットを下側にし第２のスピーカユニットを上側にして取り付け可能なスピーカシステムとして、各種の浴室ユニットへ適用可能なものとして市場に提供できるが、本発明のスピーカシステムを標準のコンポーネント（構成要素）とする浴室ユニットとして市場に提供することもできる。そして、浴室ユニットとしてのみならず各種の浴室にも適用可能であり、湿気の多い場所での音響効果を得たい場合にも適用可能となる。
【図面の簡単な説明】
【００４９】
【図１】本発明のスピーカシステムの分解斜視図である。（実施例１）
【図２】本発明のスピーカシステム内部構造を示す縦断面図である。（実施例１）
【図３】本発明のスピーカシステムを壁に取り付ける場合の分解斜視図である。（実施例１）
【図４】本発明のスピーカシステムを壁に取り付けた部分の縦断面図である。（実施例１）
【図５】本発明のスピーカシステムの化粧カバーの取り付け部の分解斜視図である。（実施例１）
【図６】本発明の化粧カバーの係止爪をバッフル板の係止孔に挿入した段階の斜視図である。（実施例１）
【図７】本発明の化粧カバーの係止爪がバッフル板の係止孔に係合した状態の斜視図である。（実施例１）
【図８】本発明の化粧カバーとバッフル板の取り付け部の他の実施例を示す分解斜視図である。（実施例２）
【図９】本発明のスピーカシステムを取り付けた浴室ユニットの内部斜視図である。
【符号の説明】
【００５０】
１・・・スピーカシステム
２・・・第１の空気室
３・・・音響ダクト
３Ａ、３Ｂ・・・音響ダクトの開口端部
４・・・第２の空気室
５・・・仕切り板
５Ａ・・音響放射開口
６・・・キャビネット（胴体部）
７・・・音響放射面
８・・・第１のスピーカユニット
９・・・バッフル板
９Ａ・・音響放射開口
９Ｂ・・環状フランジ
１０・・第２のスピーカユニット
１１・・音響放射面
１３・・振動板
１５・・振動板
１７・・裏板部
２０・・環状溝
３０・・浴室ユニット
３３・・天井パネル
３５・・環状シールパッキン
３６・・取り付けボルト
４０・・化粧カバー
４２・・係止爪
４２Ｂ・・傾斜面
４２Ａ・・Ｌ字状係止辺
４３・・係止孔
４３Ａ・・係止孔の大きさ部分
４３Ｂ・・係止孔の狭い部分
４４・・弾性係止部
６０・・突起
【図１】
2005143900.tif 000003
【図２】
2005143900.tif 000004
【図３】
2005143900.tif 000005
【図４】
2005143900.tif 000006
【図５】
2005143900.tif 000007
【図６】
2005143900.tif 000008
【図７】
2005143900.tif 000009
【図８】
2005143900.tif 000010
【図９】
2005143900.tif 000011